(57)【要約】【課題】液肥の供給方法でバッテリの直流モータでポンプを駆動させることはバッテリの負担が大きくなるため、エンジンによりポンプを駆動させ、かつ、移動も簡易にできる装置の提供を目的とする。【解決手段】液肥の粘度と多くの使用量に対応するためエンジン１６によりポンプ１を駆動させて、オペレータの手作業が無くなるようポンプ１の吸入側３のコック６Ｒ、６Ｌを開閉して、肥料容器８にある液肥９はポンプ１により吐出側４のガンノズル１２から肥料タンク７に移送され、次に、吸入側３のコック６Ｒ、６Ｌの開閉により肥料タンク７に貯留された液肥９は、再びポンプ１により吐出側４のガンノズル１２から移植機に備えられた施肥タンク１０へ供給される機構をトラック１７に積載して簡易に移動できるようにした装置である。【選択図】図１
0003133455.tif 000002
【実用新案登録請求の範囲】
【請求項１】
液体肥料を移植機に備えられている施肥タンクに供給するため原動機により駆動されるポンプにおいて、前記原動機はエンジンとし前記ポンプにはリリーフ弁を付加し、前記ポンプの吸入側はストレーナからチーズにより分岐されて双方のコックを通して肥料容器およびドレーン抜き付属の肥料タンクへと配管され、前記ポンプの吐出側はチーズにより分岐されてガンノズルおよび仕切弁から散水ノズルへと配管された機構をトラックに積載して移動できることを特徴とする液体肥料供給装置。
【請求項２】
液体肥料を移植機に備えられている施肥タンクに供給するため原動機により駆動されるポンプにおいて、前記原動機は発電機による汎用モータとする請求項１の液体肥料供給装置。
【考案の詳細な説明】
【技術分野】
【０００１】
本考案は、液体肥料（以下、液肥という）を移植機に備えられた施肥タンクに供給する装置に関するものである。
【背景技術】
【０００２】
これまでの液肥を移植機に備えられた施肥タンクに供給する方法としては、オペレータが手作業で行っていた他に、ポンプを使用する方法としては下記に示す４文献があった。
【特許文献１】実用新案登録第３１０９８４４号
【特許文献２】特開２００６−１１５７４６号
【特許文献３】特開２００３−３８０１１号
【特許文献４】特開昭６２−４８３１５号
【０００３】
先ず、上記に示す特許文献１および特許文献２はバッテリからの直流モータによるポンプの駆動方法を採っているが、液肥は種類により粘度が１００〜１０００ｃｐを有していることと、液肥の使用量が水田の場合で１ｈａ当たり３００〜４００Ｋｇとなるため、ポンプのオン・オフが多くなり結局バッテリあがり防止に充電用のエンジンを稼働しなければならなかった。
【０００４】
また、特許文献３および特許文献４は本考案と同様のエンジンによるポンプの駆動方法を採ってはいるが、液肥をオペレータの手作業により肥料容器から肥料タンクへ供給しなければならなかったことと、装置を台車に固定しているため移動が困難であった。
【考案の開示】
【考案が解決しようとする課題】
【０００５】
前記のバッテリの直流モータ式では液肥の粘度および多くの使用量からバッテリの負担が大きくなって常に充電しなければならないことと、後記のエンジン式の場合では手作業により多くの肥料容器から肥料タンクへ供給していることや装置が台車に固定されているため台車の移動がオペレータの大きな負担となっていた。
【課題を解決するための手段】
【０００６】
本考案は、液肥の粘度と多くの使用量に対応するためトルクの大きいエンジンによりポンプを駆動させ、また、オペレータの手作業が無くなるようポンプ吸入側のコックを開閉して肥料容器にある液肥はポンプにより吐出側のガンノズルから肥料タンクに移送され、次に、吸入側のコックの開閉により肥料タンクに貯留された液肥は再びポンプにより吐出側のガンノズルから移植機に備えられた施肥タンクへ供給される機構をトラックに積載して移動できるようにしている。
【考案の効果】
【０００７】
本考案は、以上説明したような構成をしているので以下に記載されるような効果がある。
先ず、エンジンによりポンプを駆動しているのでバッテリ充電用のエンジンを稼働させることはなく、また、容易に直流モータより大きなトルクを得られるので気温が低下して液肥の粘度が高くなった場合でも充分対応できる。
【０００８】
次に、多くの肥料容器にある液肥をポンプにより肥料タンクへ移送できるようにしたことによりオペレータによる手作業が無くなることと、前記機構は簡易にトラックに積載できるため移植機の移動に追随でき移植機と最も近い場所での液肥の供給ができるものである。
【０００９】
更に、前記機構をトラックに積載することにより移動が簡易となって移植機が２台以上にも対応可能となり、また、移植の作業終了後はポンプの吸入側のホースを肥料容器から近傍の用水路へ変更することにより、仕切弁を通して散水ノズルから水が排出されるため移植機の洗浄ができ、そして、肥料タンクにはドレーン抜きが付属しているため容易に肥料タンク内も洗浄でき、液肥以外の水や薬液の貯留運搬も可能となってポンプの使用頻度が向上するものとなる。
【考案を実施するための最良の形態】
【００１０】
先ず、請求項１の実施例を図面に基づき説明する。
図１は、装置全体の機器と配管を示すもので液肥の粘度からポンプ１は高粘度にも対応できるギヤポンプが適しており、また、ポンプ１に付加されたリリーフ弁２は機器および操作ミスからの異常圧力を防ぐためのものである。
【００１１】
図２は、液肥９が肥料容器８より肥料タンク７へ移送される状態を示すもので、肥料容器８内の液肥９はコック６Ｒおよびストレーナ５を通してポンプ１により吸入・吐出され、吐出された液肥９はガンノズル１２を開けることにより肥料タンク７が満杯となるまで移送貯留できるものとなり、前記ガンノズル１２は最近多く使用されてきたオートストップのものが好適である。
【００１２】
図３は、液肥９が肥料タンク７より液肥タンク１０へ供給される状態を示すもので、肥料タンク７へ貯留された液肥９はコック６Ｌから再びストレーナ５を通してポンプ１により吸入・吐出され、吐出された液肥９はガンノズル１２を開けることにより液肥タンク１０へ満杯となるまで供給できるものとなる。
【００１３】
図４は、用水路１４からの水１５が散水ノズル１３から排出される状態を示すもので、ホース６の先端を肥料容器８から用水路１４へ変更することにより、用水路１４の水１５はコック６Ｒおよびストレーナ５を通してポンプ１により吸入・吐出されるが、ガンノズル１２は閉じられているため止水され、開かれた仕切弁１１のみより散水ノズル１３を通して排出されて移植機１６を洗浄できるものであり、この場合、前記用水路１４を流れる浮遊物の吸引を防ぐためにホース６の先端は金網２０内に設置されるものである。
【００１４】
図５は、コック６Ｒ、６Ｌおよび仕切弁１１の開閉操作により、ホース６の先にある薬液１９がポンプ１により吸入・吐出されガンノズル１２より肥料タンク７へ貯留された後、散水ノズル１３から薬液１９の散布作業も可能となることを示したもので、この場合、貯留される薬液１９は肥料タンク７にドレーン抜き７Ｄが付属しているため容易に内部を洗浄可能となるので、肥料タンク７へ貯留物は液肥９に限定されるものではない。
【００１５】
図６は、トラック１７と移植機１８との位置を示すもので、トラック１７には肥料タンク７、肥料容器８、ポンプ１、エンジン１６の機構を積載しているので、移植機１８が２台以上の場合でもガンノズル１２から液肥タンク１０へ供給できるものである。
【００１６】
次に、請求項２の実施例を図面に基づき説明する。
図７は、原動機を発電機２１による汎用モータ２２とする場合を示したもので、発電機２１により交流が発電されて、これを電源に汎用モータ２２を駆動させているもので操作は押しボタンの電磁開閉器２３により行われるもので、移植機１６と共に可搬型発電機２１を有している場合にエンジン１６を不要とする機構である。
【産業上の利用可能性】
【００１７】
現在の農業は、田の大区画に伴い経営規模も大きくなっていることに反し後継者不足による高齢化も進む中、移植機による作業も省力化が計られており液肥の供給作業の効率性向上化もその一つとなっている。そこで、液肥の供給作業の手段としてエンジンにより駆動されるポンプを採り入れることにより，液肥の粘度の変化と多くの処理能力に対応できて手作業を省けるものとなる。また、機構全体がトラックに容易に積載されることから簡易に移動でき，移植機が２台以上の場合でも迅速に液肥の供給が可能となるものである。更に、移植作業終了後も移植機の洗浄用および薬液の散布用ポンプとして使用することができるので使用頻度の高い液体肥料供給装置となるものである。
【図面の簡単な説明】
【００１８】
【図１】本考案の機器と配管の機構を示す図である。
【図２】液肥が肥料容器から肥料タンクへの移送状態を示す図である。
【図３】液肥が肥料タンクから液肥タンクへの供給状態を示す図である。
【図４】用水路の水が散水ノズルからの排出状態を示す図である。
【図５】薬液の場合の貯留と散水ノズルから排出状態を示す図である。
【図６】原動機がエンジンの場合のトラックと移植機との状態を示す図である。
【図７】原動機が可搬型発電機による汎用モータの場合を示す図である。
【符号の説明】
【００１９】
１      ポンプ
２      リリーフ弁
３      吸入側
４      吐出側
５      ストレーナ
６Ｒ    コック
６Ｌ    コック
７      肥料タンク
７Ｄ    ドレーン抜き
８      肥料容器
９      液肥
１０    液肥タンク
１１    仕切弁
１２    ガンノズル
１３    散水ノズル
１４    用水路
１５    水
１６    エンジン
１７    トラック
１８    移植機
１９    薬液
２０    金網
２１    発電機
２２    汎用モータ
２３    電磁開閉器
【図１】
0003133455.tif 000003
【図２】
0003133455.tif 000004
【図３】
0003133455.tif 000005
【図４】
0003133455.tif 000006
【図５】
0003133455.tif 000007
【図６】
0003133455.tif 000008
【図７】
0003133455.tif 000009